【手続補正書】
【提出日】平成19年10月15日(2007.10.15)
【手続補正１】
【補正対象書類名】特許請求の範囲
【補正対象項目名】全文
【補正方法】変更
【補正の内容】
【特許請求の範囲】
【請求項１】
光ディスクの厚み方向に可動する対物レンズでレーザ光を集光させて、この光ディスクに照射する光ピックアップにおいて、
光ディスク内層の記録面上で焦点を結ぶようにレーザ光を集光させる上記対物レンズの位置を第１の基点とし、
上記光ディスクの基板表面またはレーベル面上で焦点を結ぶようにレーザ光を集光させる上記対物レンズの位置を第２の基点としたときに、
上記対物レンズの可動範囲が、光ディスク内層の記録面上でレーザ光が焦点を結ぶときに、光ディスクが面振れしても記録面との距離を一定に保つために上記対物レンズが可動する範囲と、上記光ディスクに対して反対側の方向に延長された範囲であって、上記光ディスクの基板表面から上記記録面までの距離を光ディスク基板の絶対屈折率で除した距離以上の範囲と、の和に設定され、
上記対物レンズが上記第１の基点と上記第２の基点を選択的に移動可能なことを特徴とする光ピックアップ。
【請求項２】
請求項１に記載の光ピックアップと、この光ピックアップが前記第１の基点または前記第２の基点を中心とした領域のいずれか一方でフォーカシングサーボを行うように制御するフォーカシングサーボ機構と、
フォーカシングサーボを行う領域を選択するための入力手段と、
この入力手段からの入力内容に応じて、上記フォーカシングサーボ機構がフォーカシングサーボを行う領域を設定する制御手段と、
を備えた光ディスク記録装置。
【請求項３】
前記制御手段は、前記入力手段でフォーカシング領域として前記第２の基点を中心とした領域が選択されると、前記光ピックアップに、光ディスクのレーベル面に画像を形成するためのレーザ光照射パターンに基づいたレーザ光を照射させる請求項２に記載の光ディスク記録装置。
【請求項４】
前記フォーカシングサーボ機構は、光ディスクへ照射したレーザ光の反射光を受光する受光手段を備え、
前記制御手段は、前記光ピックアップが前記第１の基点を中心とした領域でフォーカシングサーボを行うときと、前記第２の基点を中心とした領域でフォーカシングサーボを行うときと、で前記受光手段のゲインを切り替える請求項２または３に記載の光ディスク記録装置。
【請求項５】
前記制御手段は、セットされた光ディスクのレーベル面が光ピックアップに対向するようにセットされているかを判断し、対向していると判断された場合は、上記フォーカシングサーボ機構がフォーカシングサーボを行う領域を前記第２の基点を中心とした範囲に設定する請求項２乃至４のいずれかに記載の光ディスク記録装置。
【手続補正２】
【補正対象書類名】明細書
【補正対象項目名】０００９
【補正方法】変更
【補正の内容】
【０００９】
（１）光ディスクの厚み方向に可動する対物レンズでレーザ光を集光させて、この光ディスクに照射する光ピックアップにおいて、
光ディスク内層の記録面上で焦点を結ぶようにレーザ光を集光させる上記対物レンズの位置を第１の基点とし、
上記光ディスクの基板表面またはレーベル面上で焦点を結ぶようにレーザ光を集光させる上記対物レンズの位置を第２の基点としたときに、
上記対物レンズの可動範囲が、光ディスク内層の記録面上でレーザ光が焦点を結ぶときに、光ディスクが面振れしても記録面との距離を一定に保つために上記対物レンズが可動する範囲と、上記光ディスクに対して反対側の方向に延長された範囲であって、上記光ディスクの基板表面から上記記録面までの距離を光ディスク基板の絶対屈折率で除した距離以上の範囲と、の和に設定され、
上記対物レンズが上記第１の基点と上記第２の基点を選択的に移動可能なことを特徴とする。
【手続補正３】
【補正対象書類名】明細書
【補正対象項目名】００１２
【補正方法】変更
【補正の内容】
【００１２】
次に、［２］に対応するため、光ディスクの記録面と基板表面との距離を光ディスク基板の絶対屈折率で除した距離を［１］の可動範囲に加算する。この距離は、光ディスク内層の記録面上でレーザ光が焦点を結ぶときの対物レンズの位置と、光ディスクの面を反対にセットして、光ディスクのレーベル面上でレーザ光が焦点を結ぶときの対物レンズの位置と、の間の距離とほぼ等価である。そして、対物レンズの可動範囲を、光ディスクの面振れに対して設定する可動範囲と、レーザ光が焦点を結ぶ位置を変更するために設定する可動範囲以上の範囲と、の和に設定され、対物レンズが第１の基点と第２の基点を選択的に移動可能とする。これにより、対物レンズを、光ディスク内層の記録面上でレーザ光が焦点を結ぶときの位置から、光ディスクのレーベル面上でレーザ光が焦点を結ぶときの位置へ、移動させることができる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
（２）（１）に記載の光ピックアップと、この光ピックアップが前記第１の基点または前記第２の基点を中心とした領域のいずれか一方でフォーカシングサーボを行うように制御するフォーカシングサーボ機構と、
フォーカシングサーボを行う領域を選択するための入力手段と、
この入力手段からの入力内容に応じて、上記フォーカシングサーボ機構がフォーカシングサーボを行う領域を設定する制御手段と、を備えている。
【手続補正７】
【補正対象書類名】明細書
【補正対象項目名】００１８
【補正方法】変更
【補正の内容】
【００１８】
（３）前記制御手段は、前記入力手段でフォーカシング領域として前記第２の基点を中心とした領域が選択されると、前記光ピックアップに、光ディスクのレーベル面に画像を形成するためのレーザ光照射パターンに基づいたレーザ光を照射させる。
【手続補正８】
【補正対象書類名】明細書
【補正対象項目名】００２０
【補正方法】変更
【補正の内容】
【００２０】
（４）前記フォーカシングサーボ機構は、光ディスクへ照射したレーザ光の反射光を受光する受光手段を備え、
前記制御手段は、前記光ピックアップが前記第１の基点を中心とした領域でフォーカシングサーボを行うときと、前記第２の基点を中心とした領域でフォーカシングサーボを行うときと、で前記受光手段のゲインを切り替える。
【手続補正９】
【補正対象書類名】明細書
【補正対象項目名】００２１
【補正方法】変更
【補正の内容】
【００２１】
光ピックアップから光ディスクのレーベル面に照射したレーザ光の反射光は、光ディスクの記録面に照射したレーザ光の反射光に比べて弱くなる。これは、光ディスクの記録面の下層には、金属によって形成された反射層が設けられているのに対して、レーベル面にはそのような反射層が設けられていないためである。この構成おいては、制御手段は、光ピックアップが第１の基点を中心とした領域でフォーカシングサーボを行うときと、第２の基点を中心とした領域でフォーカシングサーボを行うときと、で受光手段のゲインを切り替えるので、光ディスクのレーベル面にレーザ光を照射する場合、フォーカシングエラーが発生することなく画像を形成することができる。
（５）前記制御手段は、セットされた光ディスクのレーベル面が光ピックアップに対向するようにセットされているかを判断し、対向していると判断された場合は、上記フォーカシングサーボ機構がフォーカシングサーボを行う領域を前記第２の基点を中心とした範囲に設定する。
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】変更
【補正の内容】
【００２５】
（２）ユーザが、異なる２点を中心とした領域のうちの一方を入力手段から入力すると、制御手段がフォーカシングサーボ機構に対してフォーカシングサーボを行う領域を設定して、フォーカシングサーボ機構に、設定された領域で光ピックアップがフォーカシングを行うように制御させることができる。
【手続補正１２】
【補正対象書類名】明細書
【補正対象項目名】００２６
【補正方法】変更
【補正の内容】
【００２６】
（３）レーザ光の照射を受けると発色する特殊な塗料が光ディスクのレーベル面に塗布された記録形光ディスクに対しては、記録面を光ピックアップに対向するようにセットすることで、記録面にデータを記録できる。また、レーベル面を光ピックアップに対向するようにセットすることで、レーベル面に画像を形成することができる。
【手続補正１３】
【補正対象書類名】明細書
【補正対象項目名】００２７
【補正方法】変更
【補正の内容】
【００２７】
（４）制御手段は、光ピックアップが第１の基点を中心とした領域でフォーカシングサーボを行うときと、第２の基点を中心とした領域でフォーカシングサーボを行うときと、で受光手段のゲインを切り替えるので、光ディスクのレーベル面にレーザ光を照射する場合、フォーカシングエラーが発生することなく画像を形成することができる。